(57)【要約】【課題】分割した複数の表示領域にそれぞれ対応する複数の映像信号を、少ない伝送ケーブルを使用して、かつ、ソース機器とシンク機器との間の通信における伝送レートの制限に応じたフレーム数で、シンク機器へ送信する。【解決手段】フレーム数調節部（１１）は、ソース機器（１０）とシンク機器（２０）との間のデータの伝送レートの制限に基づいて、映像信号のフレーム数を調節し、映像信号多重化部（１２）は、フレーム数を調節された複数の映像信号を所定の順番で多重化した多重化映像信号を、出力部（１３）から出力させる。【選択図】図１
2017175574.tif 000002
【特許請求の範囲】
【請求項１】
１つの画像を構成する部分画像のデータをそれぞれ含んだ複数の映像データをシンク機器へ送信するソース機器であって、
当該ソース機器と上記シンク機器との間の通信における伝送レートの制限に応じて、上記複数の映像データの単位時間あたりのフレーム数を調節するフレーム数調節部と、
上記フレーム数調節部がフレーム数を調節した上記複数の映像データを所定の順番で上記シンク機器へ送信する映像データ送信部と、を備えたことを特徴とするソース機器。
【請求項２】
当該ソース機器と上記シンク機器とは、１または複数の伝送ケーブルで互いに接続されており、
上記フレーム数調節部は、上記伝送ケーブルを通じて上記複数の映像データを伝送できるように、上記伝送ケーブルの本数に応じて、上記複数の映像データの単位時間あたりのフレーム数を調節することを特徴とする請求項１に記載のソース機器。
【請求項３】
上記フレーム数調節部による調節後の上記複数の映像データの単位時間あたりのフレーム数の情報を上記シンク機器へ送信することを特徴とする請求項１または２に記載のソース機器。
【請求項４】
複数の映像データを所定の順番で含む多重化映像信号をソース機器から受信するシンク機器であって、
予め取得した上記所定の順番の情報に基づいて、上記多重化映像信号から、上記複数の映像データをそれぞれ抽出する映像データ抽出部と、
上記映像データ抽出部が抽出した各映像データを、上記多重化映像信号における上記各映像データの順番に応じた表示領域にそれぞれ表示する表示制御部と、を備えたことを特徴とするシンク機器。
【請求項５】
上記複数の映像データが各フレーム中に上記所定の順番で並んだ上記多重化映像信号を受信することを特徴とする請求項４に記載のシンク機器。
【発明の詳細な説明】
【技術分野】
【０００１】
本発明は、映像表示システムを構成するソース機器およびシンク機器に関する。
【背景技術】
【０００２】
従来、映像データを映像信号に変換してシンク機器に送信するソース機器（例えばハードディスクレコーダ）と、ソース機器から受信した映像信号に基づいて映像を表示するシンク機器（例えばモニタ）とを備えた映像表示システムが存在する。このような映像表示システムにおいて、ソース機器で生成された映像信号は、HDMI（High-Definition Multimedia Interface）（登録商標）ケーブルやDVI（Digital Visual Interface）ケーブル等の伝送ケーブルを通って、シンク機器へ伝送される。映像データが4K画像で構成される場合、ソース機器は、HDMIケーブルを通じて、６０Hzのフレーム周波数で、映像信号をシンク機器へ送信することができる。すなわち、ソース機器は、HDMIケーブルを通じて、１秒あたり６０枚までの4K画像をシンク機器へ送信することができる。
【０００３】
HDMIケーブルの伝送レートの制限により、１本のHDMIケーブルでは、4K画像よりもデータ量の大きい8K画像で構成される映像データをフレーム周波数６０Hzで伝送することはできない。そこで、従来の映像表示システムは、8K画像を４つの部分画像に分割し、４本のHDMIケーブルを使用して、分割した画像をソース機器からシンク機器へ送信している。
【０００４】
従来の映像表示システムによる映像データの処理フローを具体的に説明する。まず、ソース機器は、原映像データに含まれる8K画像を、シンク機器の４つの表示領域に表示するための４つの部分画像A〜Dに分割する。あるいは、ソース機器は、部分画像A〜Dに対応する複数の映像データを取得してもよい。各部分画像のデータ量は、それぞれ、4K画像のデータ量に相当する。したがって、HDMIケーブルは、１つの部分画像を含んだ分割映像データを６０Hzで伝送することができる。ソース機器は、４本のHDMIケーブルを使用して、互いに異なる１つの部分画像をそれぞれ含んだ４つの映像信号をシンク機器へ送信する。シンク機器は、４つの映像信号に含まれる４つの部分画像を、表示部の異なる表示領域にそれぞれ表示する。すなわち、シンク機器は、４つの部分画像を画面上で統合することによって、8K画像を表示する。
【先行技術文献】
【特許文献】
【０００５】
【特許文献１】特開２０１１−２５９３１７号公報（２０１１年１２月２２日公開）
【特許文献２】特開２０１３−１３８３４８号公報（２０１３年７月１１日公開）
【発明の概要】
【発明が解決しようとする課題】
【０００６】
しかしながら、ユーザにとって、多数の伝送ケーブルをソース機器およびシンク機器にそれぞれ接続する作業は煩わしい。また、全ての伝送ケーブルが、ソース機器の出力端子と、対応するシンク機器の入力端子とに正しく接続されていない場合、シンク機器に映像が正しく表示されない可能性がある。例えば、特定の表示領域Aに表示されるべき部分画像Aが、他の表示領域B、C、またはDに表示される可能性がある。
【０００７】
本発明は、上記の問題点に鑑みてなされたものであり、その目的は、分割した複数の表示領域にそれぞれ対応する複数の映像信号を、少ない伝送ケーブルを使用して、かつ、ソース機器とシンク機器との間の通信における伝送レートの制限に応じたフレーム数で、シンク機器へ送信するソース機器等を実現することにある。
【課題を解決するための手段】
【０００８】
上記の課題を解決するために、１つの画像を構成する部分画像のデータをそれぞれ含んだ複数の映像データをシンク機器へ送信するソース機器であって、当該ソース機器と上記シンク機器との間の通信における伝送レートの制限に応じて、上記複数の映像データの単位時間あたりのフレーム数を調節するフレーム数調節部と、上記フレーム数調節部がフレーム数を調節した上記複数の映像データを所定の順番で上記シンク機器へ送信する映像データ送信部と、を備える。
【０００９】
また、上記の課題を解決するため、本発明の一態様に係るシンク機器は、複数の映像データを所定の順番で含む多重化映像信号をソース機器から受信するシンク機器であって、予め取得した上記所定の順番の情報に基づいて、上記多重化映像信号から、上記複数の映像データをそれぞれ抽出する映像データ抽出部と、上記映像データ抽出部が抽出した各映像データを、上記多重化映像信号における上記各映像データの順番に応じた表示領域にそれぞれ表示する表示制御部と、を備える。
【発明の効果】
【００１０】
本発明の一態様によれば、分割した複数の表示領域にそれぞれ対応する複数の映像信号を、少ない伝送ケーブルを使用して、かつ、ソース機器とシンク機器との間の通信における伝送レートの制限に応じたフレーム数で、シンク機器へ送信することができる。
【図面の簡単な説明】
【００１１】
【図１】実施形態１に係る映像表示システムの構成を示すブロック図である。
【図２】実施形態１に係る映像表示システムを構成するソース機器およびシンク機器がそれぞれ実行する処理の流れを示すフローチャートである。
【図３】（ａ）（ｂ）は、実施形態１に係るソース機器からシンク機器への映像信号の流れを示す図である。
【図４】（ａ）（ｂ）は、実施形態１に係るソース機器の映像信号多重化部が生成する多重化映像信号の構成を示す図である。
【図５】実施形態２に係る多重化映像信号の構成を示す図である。
【図６】実施形態３に係る映像信号分離部および映像処理部による映像信号の処理を示す図である。
【発明を実施するための形態】
【００１２】
〔実施形態１〕
（映像表示システム１の構成）
図１を用いて、本実施形態に係る映像表示システム１の構成を説明する。図１は、映像表示システム１の構成を示すブロック図である。図１に示すように、映像表示システム１は、ソース機器１０およびシンク機器２０を備える。ソース機器１０は、例えばHDDレコーダであってよい。シンク機器２０は、例えばモニタであってよい。ソース機器１０とシンク機器２０とは、最大４本のHDMIケーブル（伝送ケーブル）によって接続される。
【００１３】
図１に示すように、ソース機器１０は、フレーム数調節部１１、映像信号多重化部１２（映像データ送信部）、および出力部１３（映像データ送信部）を備える。シンク機器２０は、入力部２１、映像信号分離部２２（映像データ抽出部）、映像処理部２３（表示制御部）、および表示部２４を備える。ソース機器１０およびシンク機器２０の各部の構成について、以下で、映像表示システム１の処理フローの説明中に説明する。
【００１４】
（映像表示システム１の処理フロー）
図２〜図４を用いて、映像表示システム１の処理フローを説明する。図２は、映像表示システム１を構成するソース機器１０およびシンク機器２０がそれぞれ実行する処理の流れを示すフローチャートである。また、図３の（ａ）（ｂ）は、ソース機器１０からシンク機器２０への映像信号の流れを示す。最初に、ソース機器１０のフレーム数調節部１１は、HDDまたはDVD等の記録媒体、または、家庭内ネットワークまたはインターネット等の情報網から、原映像データを取得する（図示せず）。
【００１５】
図２に示すように、フレーム数調節部１１は、表示部２４の表示領域A〜Dに各々表示される部分画像に対応する映像信号A〜D（フレーム周波数：６０Hz）を取得する（Ｓ１）。部分画像を含む分割出願データは、１つの原映像データを分割することによって生成される。なお、原映像データが予め複数の部分画像に分割されていた場合、Ｓ１の処理は実行されない。フレーム数調節部１１は、以下で説明する通り、映像信号A〜Dのフレーム数を調節して、フレーム数を調節した映像信号A〜Dを、映像信号多重化部１２に出力する。
【００１６】
まず、フレーム数調節部１１は、出力部１３を構成する４つのHDMI端子（出力端子）のうちのいくつを、映像信号A〜Dの送信のために使用するかを決定する（Ｓ２）。例えば、フレーム数調節部１１は、使用する出力端子の数を入力するようユーザに求めてもよい。
【００１７】
あるいは、フレーム数調節部１１は、出力部１３を構成する出力端子に接続されているHDMIケーブルの数（または断線していないHDMIケーブルの数）に応じて、映像信号A〜Dの送信のために使用する出力端子の数を決定してもよい。例えば、出力部１３を構成する１つの出力端子のみに、HDMIケーブルが接続されている場合、フレーム数調節部１１は、映像信号A〜Dを多重化することによって、表示領域A〜Dに表示される複数の部分画像のデータを１本のHDMIケーブルで送信することを決定する。また、出力部１３を構成する２つまたは３つの出力端子に、HDMIケーブルが接続されている場合、フレーム数調節部１１は、映像信号AとBおよび映像信号CとDを、それぞれ多重化することを決定する。また、出力部１３を構成する４つの出力端子の全てにHDMIケーブルが接続されている場合、フレーム数調節部１１は、映像信号A〜Dを多重化しないことを決定する。
【００１８】
フレーム数調節部１１は、１本のHDMIケーブルを使用することを決定した場合（Ｓ２でＸ）、図３の（ａ）に示すように、映像信号A〜Dの各フレーム周波数（単位時間あたりのフレーム数）を、６０Hzから１５Hzに変更する。すなわち、フレーム数調節部１１は、映像信号A〜D（フレーム周波数：６０Hz）に含まれる分割映像データから、４枚ごとに１枚の部分画像のデータを抽出する。フレーム数調節部１１は、このようにしてフレーム周波数を調節した映像信号A〜Dを、映像信号多重化部１２に出力する。
【００１９】
映像信号多重化部１２は、フレーム周波数を変更された映像信号A〜Dが１フレームずつ順番に配列された多重化映像信号A/B/C/Dを生成する（Ｓ３）。映像信号多重化部１２は、生成した多重化映像信号A/B/C/Dを出力部１３に出力する。出力部１３は、１つの出力端子から、多重化映像信号A/B/C/Dを出力する（Ｓ４）。また、出力部１３は、多重化映像信号A/B/C/Dの出力の前に、ソース機器１０が送信する映像信号に関する情報を示すインフォフレーム（Info-frame）をシンク機器２０へ送信する。インフォフレームは、ソース機器１０が送信する映像信号のフレーム周波数が１５Hzであることを示す情報を含む。
【００２０】
図４の（ａ）は、映像信号多重化部１２が生成する多重化映像信号A/B/C/Dの構成を示す図である。図４の（ａ）に示すように、多重化映像信号A/B/C/Dでは、映像信号A〜Dが、１フレーム（１６．６msec）ごとに順番に切り替えられる。多重化映像信号A/B/C/Dの各フレームの間には、Vsync（Vertical Synchronizing signal）信号が挿入される。図４の（ａ）に示すように、多重化映像信号A/B/C/Dの１フレームには、1つの映像信号を構成する１枚の部分画像のデータが含まれる。また、多重化映像信号A/B/C/Dの連続する４フレームには、各映像信号A〜Dにつき１枚の部分画像のデータが、所定の順番で含まれる。すなわち、映像信号A〜Dのフレーム周波数は、いずれも１５Hzである。なお、多重化映像信号A/B/C/Dにおける映像信号A〜Dの順番は変更されてもよい。その場合、CEC（Consumer Electronics Control）等によって、ソース機器１０およびシンク機器２０の両方が、変更後の映像信号A〜Dの順番の情報を予め取得する必要がある。
【００２１】
また、フレーム数調節部１１は、２本のHDMIケーブルを使用することを決定した場合（Ｓ２でＹ）、図３の（ｂ）に示すように、１本のHDMIケーブルで伝送する２つの映像信号A、Bのフレーム周波数を、６０Hzから３０Hzに変更する。すなわち、フレーム数調節部１１は、映像信号A、B（フレーム周波数：６０Hz）に含まれる部分画像のデータから、２枚ごとに１枚の部分画像のデータを抽出する。そして、映像信号多重化部１２は、フレーム周波数を調節された２つの映像信号A、B（フレーム周波数：３０Hz）が１フレームずつ交互に配列した多重化映像信号A/Bを生成する。同様に、映像信号多重化部１２は、フレーム周波数を調節された２つの映像信号C、D（フレーム周波数：３０Hz）が１フレームずつ交互に配列した多重化映像信号C/Dを生成する（Ｓ５）。映像信号多重化部１２は、生成した多重化映像信号A/Bおよび多重化映像信号C/Dを、出力部１３に出力する。出力部１３は、２つの出力端子から、多重化映像信号A/Bおよび多重化映像信号C/Dを出力する（Ｓ６）。また、出力部１３は、多重化映像信号A/Bおよび多重化映像信号C/Dの出力の前に、ソース機器１０から送信される映像信号のフレーム周波数が３０Hzであることを示す情報を含むインフォフレーム（AVI Info-frame）をシンク機器２０へ送信する。ここで、各出力端子から出力される複数の多重化映像信号をシンク機器２０が識別することができるように、出力部１３は、多重化映像信号A/B、C/Dを出力する出力端子として、（予め割り振られた）番号の小さい順に２つの出力端子を選択する。
【００２２】
図４の（ｂ）は、多重化映像信号A/Bおよび多重化映像信号C/Dの構成を示す図である。図４の（ｂ）に示すように、多重化映像信号A/Bには、２つの映像信号A、Bが、１フレームごとに交互に含まれる。また、多重化映像信号C/Dには、２つの映像信号C、Dが、１フレームごとに交互に含まれる。すなわち、映像信号A、Bの各フレーム周波数は３０Hzである。同様に、映像信号C、Dの各フレーム周波数も、３０Hzである。
【００２３】
映像信号多重化部１２が映像信号A〜Dを重畳しない場合（Ｓ２でＺ）、出力部１３は、映像信号A〜Dを、互いに異なる出力端子から出力する（Ｓ７）。また、出力部１３は、映像信号A〜Dの出力の前に、ソース機器１０が送信する映像信号のフレーム周波数が６０Hzであることを示す情報を含むインフォフレームをシンク機器２０へ送信する。ここで、各出力端子から出力される映像信号をシンク機器２０が識別することができるように、出力部１３は、映像信号A〜Dを出力する出力端子として、（予め割り振られた）番号の小さい順に４つの出力端子を選択する。以上で、ソース機器１０の処理フローは終了する。
【００２４】
図２に示すように、シンク機器２０の入力部２１は、ソース機器１０の出力部１３から、多重化映像信号A/B/C/D（Ｓ２でＸの場合）または多重化映像信号A/Bと多重化映像信号C/D（Ｓ２でＹの場合）または映像信号A〜D（Ｓ２でＺの場合）を受信する（Ｓ８）。入力部２１は、受信した映像信号を映像信号分離部２２に出力する。
【００２５】
映像信号分離部２２は、シンク機器２０が各HDMIケーブルで受信した映像信号に、それぞれ、いくつの映像信号が多重化されているかを判定する（Ｓ９）。例えば、映像信号分離部２２は、入力部２１を構成する複数（例えば４つ）のHDMI端子（入力端子）に接続されているHDMIケーブルの本数に基づき、ソース機器１０から送信された映像信号に多重化されている映像信号の数を判定してもよいし、ソース機器１０から送信された映像信号に多重化されている映像信号の数の情報をソース機器１０から取得してもよい。
【００２６】
あるいは、映像信号分離部２２は、インフォフレームに含まれるフレーム周波数の情報に基づいて、ソース機器１０から送信された映像信号にいくつの映像信号が多重化されているかを判定してもよい。具体的には、映像信号分離部２２は、映像信号中のVsync信号の間隔に基づいて、映像信号のフレーム周波数が６０Hzであると特定する。また、映像信号分離部２２は、インフォフレームに含まれるフレーム周波数の情報を取得する。そして、インフォフレームに含まれるフレーム周波数が１５Hz（６０Hzの１／４）である場合、映像信号分離部２２は、ソース機器１０から送信された映像信号に４つの映像信号が多重化されていると判定する。また、インフォフレームに記載されているフレーム周波数が３０Hz（６０Hzの１／２）である場合、映像信号分離部２２は、ソース機器１０から送信された映像信号に２つの映像信号が多重化されていると判定する。また、インフォフレームに記載されているフレーム周波数が６０Hzである場合、映像信号分離部２２は、シンク機器２０が受信した映像信号には、複数の映像信号が多重化されていないと判定する。
【００２７】
映像信号分離部２２は、シンク機器２０が受信した映像信号に４つの映像信号が多重化されていると判定した場合、すなわち、シンク機器２０が多重化映像信号A/B/C/Dを受信したと判定した場合（Ｓ９でＸ）、多重化映像信号A/B/C/Dに含まれる４つの映像信号A〜Dを分離する（Ｓ１０）（図３の（ａ）参照）。映像信号分離部２２は、分離された映像信号A〜Dを映像処理部２３に出力する。Ｓ１０の後、映像処理部２３は、映像信号A〜Dに対する映像処理を行う。そして、映像処理部２３は、映像処理された映像信号A〜Dに含まれる部分画像を、それぞれ、表示部２４の対応する表示領域A〜Dに表示する。
【００２８】
また、映像信号分離部２２は、シンク機器２０が受信した映像信号に２つの映像信号が多重化されていると判定した場合、すなわち、シンク機器２０が多重化映像信号A/Bおよび多重化映像信号C/Dを受信したと判定した場合（Ｓ９でＹ）、多重化映像信号A/Bに含まれる２つの映像信号A、Bを分離するとともに、多重化映像信号C/Dに含まれる２つの映像信号C、Dを分離する（Ｓ１１）（図３の（ｂ）参照）。映像信号分離部２２は、分離された映像信号A〜Dを映像処理部２３に出力する。Ｓ１１の後、映像処理部２３は、映像信号A〜Dに対する映像処理を行う。そして、映像処理部２３は、映像処理された映像信号A〜Dを、それぞれ、表示部２４の対応する表示領域A〜Dに表示する。
【００２９】
また、入力部２１が、多重化されていない映像信号A〜Dを受信した場合（Ｓ９でＺ）、映像信号分離部２２は、映像信号A〜Dを映像処理部２３に出力する。映像処理部２３は、映像信号A〜Dに対する映像処理を行う。そして、映像処理部２３は、映像処理された映像信号A〜Dを、それぞれ、表示部２４の対応する表示領域A〜Dに表示する。以上で、映像表示システム１の処理フローは終了する。なお、ソース機器１０は、映像信号A〜Dのフレーム周波数を低下させる代わりに、上昇させることもできる。すなわち、ソース機器１０は、ソース機器１０とシンク機器２０との間の通信における伝送レートの制限（本実施形態では、ソース機器１０とシンク機器２０との間に接続されているHDMIケーブルの本数）に応じて、映像信号A〜Dのフレーム周波数を上昇または低下させてよい。
【００３０】
（各フレームに含まれる部分画像のデータを特定する方法）
図４の（ａ）に示すように、多重化映像信号A/B/C/Dには、４つの映像信号A〜Dが所定の順番で含まれる。また、図４の（ｂ）に示すように、多重化映像信号A/B（多重化映像信号C/D）には、２つの映像信号A、Bが交互に含まれる。したがって、上述した映像表示システム１の処理フローのＳ１０およびＳ１１において、映像信号分離部２２は、シンク機器２０がどの映像信号をどのタイミングで受信するのかを特定する必要がある。
【００３１】
ここでは、映像信号分離部２２が、シンク機器２０が特定の部分画像に対応する映像信号を受信するタイミング（フレーム）を自動的に特定するいくつかの方法を説明する。
【００３２】
第１の方法では、映像信号分離部２２は、シンク機器２０が最初のVsync信号を受信した直後に受信する映像信号を特定してもよい。シンク機器２０は、多重化映像信号における各映像信号の順番の情報を予め取得している。したがって、映像信号分離部２２は、シンク機器２０が最初のVsync信号の直後に受信する映像信号を特定することができ、各映像信号をシンク機器２０が受信するタイミングを特定することができる。
【００３３】
第２の方法では、映像信号分離部２２は、ソース機器１０から、特定の映像信号を送信するタイミングを通知されてもよい。ソース機器１０は、特定の映像信号を送信する直前に、CECにより、多重化映像信号に含まれるVsync信号をシンク機器２０にカウントさせる。シンク機器２０は、多重化映像信号における各映像信号の順番の情報を予め取得している。したがって、映像信号分離部２２は、シンク機器２０がVsync信号のカウントを開始した直後に受信する映像信号を特定することができ、各映像信号をシンク機器２０が受信するタイミングを特定することできる。
【００３４】
第３の方法では、ソース機器１０が、多重化映像信号の送信を開始する前に、数秒間、シンク機器２０と同期するためのテスト画像のデータをシンク機器２０へ送信してもよい。具体的には、ソース機器１０は、互いに異なる階調の複数のテスト画像のデータを、複数の映像信号を送信する順番と同じ順番で、シンク機器２０へ送信する。映像信号分離部２２は、シンク機器２０が受信したテスト画像の階調を解析することによって、ソース機器１０が複数の映像信号を送信する順番およびタイミングを特定することができる。なお、シンク機器２０は、同期が完了した旨をソース機器１０に通知してもよい。
【００３５】
第４の方法では、ソース機器１０がシンク機器２０へ送信するインフォフレームに含まれるインターレース情報が活用されてもよい。映像信号分離部２２は、上記インターレース情報に含まれる偶数フィールド・奇数フィールドの情報を利用して、シンク機器２０が特定の分割映像データを含む映像信号を受信するフレームを特定することができる（シンク機器２０が多重化映像信号A/B、C/Dを受信した場合）。
【００３６】
〔実施形態２〕
本実施形態では１フレームに複数の映像信号が所定の順番で含まれる構成を説明する。
【００３７】
図５は、本実施形態に係る多重化映像信号A/Bの構成を示す図である。図５に示す多重化映像信号A/Bでは、半フレームごとに、映像信号A,Bが切り替わっている。換言すれば、図５に示す多重化映像信号A/Bの各１フレームには、表示領域Aに表示される１フレームの映像の半分のデータを含む映像信号Aと、表示領域Bに表示される１フレームの映像の半分のデータを含む映像信号Aとが含まれる。したがって、多重化映像信号A/Bには、２フレームごとに、表示領域A、Bにそれぞれ表示される１フレームの映像のデータが含まれる。この場合、映像信号A、Bのフレーム周波数は３０Hzである。あるいは、多重化映像信号A/Bの１／４フレームごとに、映像信号A、Bが切り替わってもよい。この場合であっても、多重化映像信号A/Bには、２フレームごとに、表示領域A、Bにそれぞれ表示される１フレームの映像のデータが含まれるので、映像信号A、Bのフレーム周波数は３０Hzである。
【００３８】
図５では、多重化映像信号A/Bのどのフレームでも、映像信号A、Bの順番が同じである。すなわち、多重化映像信号A/Bは、１フレームの前半には、映像信号Ai-j（i＝1〜30,j＝1,2）を含み、１フレームの後半には、映像信号Bi-j（i＝1〜30,j＝1,2）を含む。そのため、映像信号分離部２２は、シンク機器２０が特定の映像信号を受信するタイミングを特定せずに、Hsync（Horizontal Synchronizing signal）信号をカウントすることによって、多重化映像信号A/Bに含まれる２つの映像信号A、Bを分離することができる。
【００３９】
〔実施形態３〕
本実施形態では、映像処理部２３の構成に応じて、多重化する映像信号の組合せを決定する構成を説明する。
【００４０】
図６は、本実施形態２における映像信号の処理の流れを示す。図６では、概念的に、映像信号分離部２２および映像処理部２３を複数のブロックに分解して示している。映像処理部２３は、表示領域A、Cにおける表示を統合的に制御する第１映像処理部２３１、および、表示領域B、Dにおける表示を統合的に制御する第２映像処理部２３２を含む。
【００４１】
図６に示すように、本実施形態３における処理フローでは、シンク機器２０が多重化映像信号A/B、C/Dを受信した場合、第１映像信号分離部２２１が、多重化映像信号A/Bに含まれる映像信号A、Bを分離して、分離した映像信号A、Bを第１映像処理部２３１および第２映像処理部２３２にそれぞれ出力する。また、第２映像信号分離部２２２が、多重化映像信号C/Dに含まれる映像信号C、Dを分離して、分離した映像信号C、Dを第１映像処理部２３１および第２映像処理部２３２にそれぞれ出力する。その後、第１映像処理部２３１が映像信号A、Cに対する映像処理を行うとともに、第２映像処理部２３２が映像信号C、Dに対する映像処理を行う。
【００４２】
あるいは、ソース機器１０の映像信号多重化部１２は、映像処理部２３の構成に応じて、映像信号A、Cを多重化して、多重化映像信号A/Cを生成するとともに、映像信号B、Dを多重化して、多重化映像信号B/Dを生成してもよい。この場合でも、第１映像処理部２３１は、多重化映像信号A/Cに対する画像処理を行って、表示領域A、Cに表示する部分画像を生成する。また、第２映像処理部２３２は、多重化映像信号B/Dに対する画像処理を行って、表示領域B、Dに表示する部分画像B/Dを生成する。したがって、映像信号分離部２２が映像信号を分離する処理を行う必要がないので、処理フローを簡素化するとともに、処理フローに要する時間を短縮することができる。
【００４３】
〔ソフトウェアによる実現例〕
ソース機器１０およびシンク機器２０の制御ブロックは、集積回路（ICチップ）等に形成された論理回路（ハードウェア）によって実現してもよいし、CPU（Central Processing Unit）を用いてソフトウェアによって実現してもよい。
【００４４】
後者の場合、ソース機器１０およびシンク機器２０は、各制御ブロックの機能を実現するソフトウェアであるプログラムの命令を実行するCPU、上記プログラムおよび各種データがコンピュータ（またはCPU）で読み取り可能に記録されたROM（Read Only Memory）または記憶装置、上記プログラムを展開するRAM（Random Access Memory）などを備えている。そして、コンピュータ（またはCPU）が上記プログラムを上記記録媒体から読み取って実行することにより、本発明の目的が達成される。上記記録媒体としては、「一時的でない有形の媒体」、例えば、ディスクなどを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【符号の説明】
【００４５】
１  映像表示システム  １０  ソース機器  ２０  シンク機器  １１  フレーム数調節部  １２  映像信号多重化部（映像データ送信部）  １３  出力部（映像データ送信部）  ２２  映像信号分離部（映像データ抽出部）  ２３  映像処理部（表示制御部）
【図１】
2017175574.tif 000003
【図２】
2017175574.tif 000004
【図３】
2017175574.tif 000005
【図４】
2017175574.tif 000006
【図５】
2017175574.tif 000007
【図６】
2017175574.tif 000008